(57)【要約】      （修正有）【課題】行きたくない場所に行ってしまう人が、行きたくない場所に行くことを抑制するための警報出力装置及びプログラムを提供する。【解決手段】警報出力装置１は、警報情報を出力する位置の範囲である警報範囲を記憶する記憶部１７と、警報出力装置１の位置を示す位置情報を取得する位置情報取得部１８１と、位置情報取得部１８１が取得した位置情報が示す位置が警報範囲に含まれる状態になってから所定の遅延時間が経過した場合に警報情報の出力を開始させる出力制御部１８５と、を有する。【選択図】図２
2018147493.tif 000002
【特許請求の範囲】
【請求項１】
警報情報を出力する警報出力装置であって、
前記警報情報を出力する位置の範囲である警報範囲を記憶する記憶部と、
前記警報出力装置の位置を示す位置情報を取得する位置情報取得部と、
前記位置情報取得部が取得した前記位置情報が示す位置が前記警報範囲に含まれる状態になってから所定の遅延時間が経過した場合に前記警報情報を出力する出力制御部と、
を有する警報出力装置。
【請求項２】
前記記憶部は、他の装置を識別するための装置識別情報をさらに記憶し、
前記出力制御部は、前記他の装置の動作を制限するために、前記装置識別情報を含む前記警報情報を出力する、
請求項１に記載の警報出力装置。
【請求項３】
前記出力制御部は、前記警報情報を出力した後に、前記他の装置が動作していることを示す情報を前記他の装置から受信したことに応じて、前記警報情報を再度出力する、
請求項２に記載の警報出力装置。
【請求項４】
前記出力制御部は、前記位置情報取得部が取得した前記位置情報が示す位置が前記警報範囲に含まれる状態になってから前記遅延時間が経過した場合に、前記警報情報として警報音の出力を開始させる、
請求項１から３のいずれか一項に記載の警報出力装置。
【請求項５】
前記出力制御部は、前記位置情報が示す位置が前記警報範囲に含まれない状態になった場合に前記警報音の出力を停止させる、
請求項４に記載の警報出力装置。
【請求項６】
前記出力制御部は、前記位置情報が示す位置が前記警報範囲に含まれる状態で、前記警報出力装置が接続されている車両のエンジンが停止してから前記遅延時間が経過した場合に前記警報音の出力を開始させる、
請求項４又は５に記載の警報出力装置。
【請求項７】
前記警報出力装置を動作させるための電力を供給する電池と、
前記電池の残量を検出する残量検出部と、
をさらに有し、
前記出力制御部は、前記残量検出部が検出した前記残量が所定の閾値以下になった場合に前記警報情報を出力する、
請求項１から６のいずれか一項に記載の警報出力装置。
【請求項８】
前記電池を充電する充電部をさらに有し、
前記出力制御部は、前記位置情報が示す位置が前記警報範囲に含まれない状態で前記充電部が前記電池の充電を開始した場合に、前記他の装置の動作の制限を解除させるための解除情報を出力する、
請求項７に記載の警報出力装置。
【請求項９】
前記出力制御部は、前記残量検出部が検出した前記残量が所定の閾値以下になった場合に警報音を出力し、前記位置情報が示す位置が前記警報範囲に含まれない状態で前記充電部が前記電池の充電を開始したときに前記警報音の出力を停止させ、前記位置情報が示す位置が前記警報範囲に含まれる状態で前記充電部が前記電池の充電を開始したときに前記警報音の出力を継続する、
請求項８に記載の警報出力装置。
【請求項１０】
コンピュータを、
請求項１から９のいずれか一項に記載の警報出力装置から、前記コンピュータの少なくとも一部の機能を制限させるための警報情報を受信する受信部、及び
前記受信部が前記警報情報を受信した場合に前記少なくとも一部の機能を制限する機能制御部、
として機能させるためのプログラム。
【請求項１１】
コンピュータを、
前記コンピュータの位置を示す位置情報を取得する位置情報取得部、及び
前記位置情報取得部が取得した前記位置情報が示す位置が、前記コンピュータが有する記憶部に記憶された、前記コンピュータの少なくとも一部の機能を制限する位置の範囲である警報範囲に含まれる状態になってから所定の遅延時間が経過した場合に、前記少なくとも一部の機能を制限する機能制御部、
として機能させるためのプログラム。
【発明の詳細な説明】
【技術分野】
【０００１】
本発明は、警報出力装置及びプログラムに関する。
【背景技術】
【０００２】
現在、パチンコなどのギャンブル依存症が社会問題化している。特許文献１には、依存症を治療するための条件反射抑制療法に用いられ、生理的報酬獲得行動を抑制することを学習するための画像を表示する画像処理装置が開示されている。
【先行技術文献】
【特許文献】
【０００３】
【特許文献１】特開２０１６−２０１０９８号公報
【発明の概要】
【発明が解決しようとする課題】
【０００４】
特許文献１に記載の画像処理装置は、ユーザが画像を見なければ効果を発揮することができない。そのため、ギャンブル依存症のユーザが、画像処理装置が表示する画像を見ない場合、ユーザがギャンブル施設に入ってしまうことを抑制できなかった。また、画像処理装置は、ユーザに抑制行動を学習させるためのものであるので、ユーザがギャンブル行為を行ってしまっている場合にはギャンブル行為を抑制することができなかった。
【０００５】
そこで、本発明はこれらの点に鑑みてなされたものであり、ギャンブル依存症の人のように行きたくない場所に行ってしまう人が、行きたくない場所に行くことを抑制するための警報出力装置及びプログラムを提供することを目的とする。
【課題を解決するための手段】
【０００６】
本発明の警報出力装置は、警報情報を出力する警報出力装置であって、前記警報情報を出力する位置の範囲である警報範囲を記憶する記憶部と、前記警報出力装置の位置を示す位置情報を取得する位置情報取得部と、前記位置情報取得部が取得した前記位置情報が示す位置が前記警報範囲に含まれる状態になってから所定の遅延時間が経過した場合に前記警報情報を出力する出力制御部と、を有する。
【０００７】
例えば、前記記憶部は、他の装置を識別するための装置識別情報をさらに記憶する。
前記出力制御部は、前記他の装置の動作を制限するために、前記装置識別情報を含む前記警報情報を出力してもよい。
【０００８】
前記出力制御部は、前記警報情報を出力した後に、前記他の装置が動作していることを示す情報を前記他の装置から受信したことに応じて、前記警報情報を再度出力してもよい。
【０００９】
例えば、前記出力制御部は、前記位置情報取得部が取得した前記位置情報が示す位置が前記警報範囲に含まれる状態になってから前記遅延時間が経過した場合に、前記警報情報として警報音の出力を開始させる。
【００１０】
前記出力制御部は、前記位置情報が示す位置が前記警報範囲に含まれない状態になった場合に前記警報音の出力を停止させてもよい。
【００１１】
例えば、前記出力制御部は、前記位置情報が示す位置が前記警報範囲に含まれる状態で、前記警報出力装置が接続されている車両のエンジンが停止してから前記遅延時間が経過した場合に前記警報音の出力を開始させる。
【００１２】
上記の警報出力装置は、前記警報出力装置を動作させるための電力を供給する電池と、前記電池の残量を検出する残量検出部と、をさらに有し、前記出力制御部は、前記残量検出部が検出した前記残量が所定の閾値以下になった場合に前記警報情報を出力してもよい。
【００１３】
上記の警報出力装置は、前記電池を充電する充電部をさらに有し、前記出力制御部は、前記位置情報が示す位置が前記警報範囲に含まれない状態で前記充電部が前記電池の充電を開始した場合に、前記他の装置の動作の制限を解除させるための解除情報を出力してもよい。
【００１４】
例えば、前記出力制御部は、前記残量検出部が検出した前記残量が所定の閾値以下になった場合に警報音を出力し、前記位置情報が示す位置が前記警報範囲に含まれない状態で前記充電部が前記電池の充電を開始したときに前記警報音の出力を停止させ、前記位置情報が示す位置が前記警報範囲に含まれる状態で前記充電部が前記電池の充電を開始したときに前記警報音の出力を継続する。
【００１５】
本発明のプログラムは、コンピュータを、前記警報出力装置から、前記コンピュータの少なくとも一部の機能を制限させるための警報情報を受信する受信部、及び前記受信部が前記警報情報を受信した場合に前記少なくとも一部の機能を制限する機能制御部、として機能させる。
【００１６】
本発明のプログラムは、コンピュータを、前記コンピュータの位置を示す位置情報を取得する位置情報取得部、及び前記位置情報取得部が取得した前記位置情報が示す位置が、前記コンピュータが有する記憶部に記憶された、前記コンピュータの少なくとも一部の機能を制限する位置の範囲である警報範囲に含まれる状態になってから所定の遅延時間が経過した場合に、前記少なくとも一部の機能を制限する機能制御部、として機能させる。
【発明の効果】
【００１７】
本発明によれば、行きたくない場所に行ってしまう人が、行きたくない場所に行くことを抑制することができるという効果を奏する。
【図面の簡単な説明】
【００１８】
【図１】警報出力装置の動作の概要を説明するための図である。
【図２】警報出力装置の構成を示す図である。
【図３】位置情報に基づいて警報音を出力させる動作のフローチャートである。
【図４】電池の残量に基づいて警報音を出力させる動作のフローチャートである。
【図５】第２の実施形態における警報出力装置の構成を示す図である。
【図６】第２の実施形態における警報出力装置の動作のフローチャートである。
【図７】第３の実施形態に係る警報出力装置の構成を示す図である。
【発明を実施するための形態】
【００１９】
＜第１の実施形態＞
第１の実施形態に係る警報出力装置１は、ユーザが予め設定されたギャンブルを行うことができる施設（以下、ギャンブル施設という）の近くに所定の時間以上滞在している場合に警報情報を出力する装置である。警報情報は、例えば大音量の警報音である。警報出力装置１にはキーホルダーが付属しており、ユーザが普段身に着ける物、例えば家の鍵、車の鍵、財布などに取り付けて使うことができる。警報出力装置１のキーホルダーは、容易に破壊されない材質で構成されており、例えば、鍵をいったん挿入すると素手では二度と鍵を外すことができないように構成されている。容易に破壊されない材質は、例えば鉄などの金属であり、好ましくは高硬度鋼の合金である。
【００２０】
図１は、警報出力装置１の動作の概要を説明するための図である。図１においては、携帯型の警報出力装置１を所持するユーザＵが、車両に乗車していることを想定している。車両Ｐ１は、ユーザＵがギャンブル施設Ａの駐車場に駐車した車両である。ユーザＵが所持する警報出力装置１は、自機の位置がギャンブル施設Ａから所定の範囲Ｒ内に含まれていると判定した場合、時間の計測を開始する。警報出力装置１は、所定の遅延時間が経過した後に、自機の位置が所定の範囲Ｒ内に含まれていると判定した場合、警報音を出力する。後述するように、ユーザＵが遅延時間を設定することができるが、遅延時間には上限が設けられている。所定の遅延時間は例えば５分以内である。
【００２１】
車両Ｐ２は、ギャンブル施設Ａの付近の道路を走行している車両である。車両Ｐ２は、範囲Ｒ内に入ってから所定の遅延時間が経過する前に範囲Ｒの外に移動することを想定している。警報出力装置１は、自機の位置がギャンブル施設Ａから所定の範囲Ｒ内に含まれていると判定した場合、時間の計測を開始する。警報出力装置１は、所定の遅延時間が経過した後に、自機の位置が所定の範囲Ｒ内に含まれていないと判定した場合、警報音を出力しない。
【００２２】
車両Ｐ３は、ユーザＵがコンビニエンスストアＢの駐車場に駐車した車両である。ユーザＵが所持する警報出力装置１は、自機の位置がギャンブル施設Ａから所定の範囲Ｒ内に含まれていないと判定した場合、警報音を出力しない。
【００２３】
このように、警報出力装置１が自機の位置がギャンブル施設から所定の範囲内に含まれている状態になってから所定の遅延時間が経過した場合に警報音を出力する。このようにすることで、警報出力装置１は、ユーザがギャンブル施設Ａに入店しそうな場合に警報音を出力し、ユーザがギャンブル施設Ａの付近を移動している場合や、近隣のコンビニエンスストアＢに入店した場合には警報音を出力しない。そのため、ユーザは、日常生活に支障なくギャンブル行為を抑制することができる。ギャンブル施設は、例えばパチンコ店、競馬場、競輪場、競艇場、オートレース場であるが、特に限定されない。以下、警報出力装置１の構成及び機能について詳細に説明する。
【００２４】
図２は、警報出力装置１の構成を示す図である。警報出力装置１は、警報器１０と、マイク１１と、位置センサ１２と、通信部１３と、電池１４と、充電部１５と、電源ボタン１６と、記憶部１７と、制御部１８とを有する。制御部１８は、音検出部１８０と、位置情報取得部１８１と、残量検出部１８２と、給電制御部１８３と、設定部１８４と、出力制御部１８５とを含む。
【００２５】
警報器１０は、警報音を発する、例えばスピーカー又は電子ベルである。警報器１０が出力する警報音の大きさは、好ましくは１００デシベル以上であり、より好ましくは１３０デシベル以上である。
【００２６】
位置センサ１２は、例えばＧＰＳ（Global Positioning System）受信機であり、警報出力装置１の位置を示す位置情報をＧＰＳ衛星から受信し、位置情報取得部１８１に通知する。マイク１１は、周囲の音を音信号に変換し、音信号を音検出部１８０に入力する。
【００２７】
通信部１３は、他の端末と通信するための通信インタフェースである。通信部１３は、無線通信モジュール、又はＵＳＢ（Universal Serial Bus）接続端子を含んでよく、通信方式を特に限定するものではない。通信部１３は、他の端末から、ユーザが他の端末に入力した情報又は指示を受信する。通信部１３は、受信した情報又は指示を設定部１８４に通知する。
【００２８】
電池１４は、警報出力装置１を動作させるための電力を供給する電池である。電池１４は、充電可能な二次電池であり、例えばリチウムイオンバッテリー又はリチウムイオンポリマー二次電池である。電池１４は、警報出力装置１から取り外しできないように構成されている。
【００２９】
充電部１５は、電池を充電する充電部である。充電部１５は、コンセントと接続するための接続端子を有する。充電部１５は、接続端子がコンセントと接続された場合、電池１４の充電を開始し、充電が開始されたことを出力制御部１８５に通知する。
【００３０】
電源ボタン１６は、警報出力装置１を起動又は停止させるためのボタンである。電源ボタン１６は、ユーザが電源ボタン１６を押したことを検出した場合、電源ボタン１６が押されたことを給電制御部１８３に通知する。
【００３１】
なお、警報出力装置１は、電源ボタン１６を有していなくてもよい。警報出力装置１は、電源ボタン１６の代わりに、電池１４と各部との接続を遮断するためのシート、又は自機を起動させるためのピンを有していてもよい。警報出力装置１を購入したユーザは、警報出力装置１に設けられたシート又はピンを警報出力装置１から取り外すことにより、警報出力装置１を起動させる。警報出力装置１のシート又はピンは、一度取り外すと再度取り付けることができないように構成されている。ユーザは、警報出力装置１の動作を開始すると、警報出力装置１の動作を停止することができないので、効果的にギャンブル行為を行うことを防止できる。
【００３２】
記憶部１７は、警報音を出力する位置の範囲である警報範囲を示す範囲情報を記憶する記憶部である。範囲情報は、例えば、位置を示す位置情報と、位置情報が示す位置から所定の距離とが関連付けられた情報である。具体的には、範囲情報は、図１に示すように、ギャンブル施設Ａから所定の距離の範囲Ｒ内の位置を示す情報である。所定の距離は例えば５０ｍである。記憶部１７は、複数の範囲情報を記憶してもよい。例えば、記憶部１７は、範囲情報として、ギャンブル施設Ａから所定の範囲Ｒ内の位置を示す範囲情報を記憶し、ギャンブル施設Ｃから所定の範囲Ｌ内の位置を示す範囲情報を記憶する。なお、範囲情報は円形でなくてもよい。
【００３３】
記憶部１７は、制御部１８の処理手順を記述した制御プログラムを記憶する。記憶部１７は、ＲＯＭ（Read Only Memory）、ＲＡＭ（Random Access Memory）及びハードディスク等の記憶媒体である。
【００３４】
また、記憶部１７は、警報範囲に関連付けて遅延時間を記憶する。例えば、記憶部１７は、ギャンブル施設Ａから所定の範囲Ｒを示す範囲情報に関連付けて、遅延時間として、平均的な信号待ち時間（７５秒）以上である１２０秒を記憶する。このようにすることで、警報出力装置１は、ギャンブル施設の付近で信号待ちをしている場合には、警報音を出力しないようにすることができる。
【００３５】
制御部１８は、例えばＣＰＵ（Central Processing Unit）であり、記憶部１７に記憶されたプログラムを実行することにより各動作ブロックを動作させる制御手段である。ユーザは、例えば通信部１３と接続された端末を介して、警報出力装置１の制御部１８に、警報範囲を入力することができる。また、ユーザは、警報出力装置１が操作部を有する場合、操作部を操作して警報範囲を入力することができる。制御部１８は、記憶部１７に記憶されたプログラムを実行することにより、音検出部１８０、位置情報取得部１８１、残量検出部１８２、給電制御部１８３、設定部１８４、及び出力制御部１８５として機能する。
【００３６】
音検出部１８０は、マイク１１から入力された音信号に基づいて、警報出力装置１の周囲の音を検出する。音検出部１８０は、検出した周囲の音を出力制御部１８５に通知する。
【００３７】
位置情報取得部１８１は、位置センサ１２から警報出力装置１の位置を示す位置情報を取得する。位置情報取得部１８１は、通信部１３から位置を示す位置情報を取得してもよい。位置情報取得部１８１は、取得した位置情報を出力制御部１８５に通知する。
【００３８】
残量検出部１８２は、電池の残量を検出する。例えば、残量検出部１８２は、電池の電圧を計測し、計測した電圧に基づいて電池の残量を検出する。具体的には、残量検出部１８２は、電池の最大電圧を１００％として、最大電圧に対する計測した電圧の割合を示す情報を通知する。残量検出部１８２は、検出した電池の残量を出力制御部１８５に通知する。
【００３９】
給電制御部１８３は、電源ボタンが押されたことを検出することにより、位置センサ１２、位置情報取得部１８１及び出力制御部１８５以外の少なくとも一部の回路への電力の供給を停止する。例えば、給電制御部１８３は、通信部１３及びマイク１１への電力が供給されている状態で電源ボタンが押されたことを検出した場合に、通信部１３及びマイク１１への電力の供給を停止する。このようにすることで、警報出力装置１は、ユーザが電源ボタンを押したとしても、消費電力を低減した状態で警報音を出力することができる。
【００４０】
設定部１８４は、警報音を出力する位置の範囲である警報範囲を設定する。設定部１８４は、例えばユーザが警報範囲を入力した場合、ユーザが入力した警報範囲を示す範囲情報を記憶部１７に記憶させる。ユーザは、警報範囲として、例えば、位置を示す座標を入力してもよいし、予め設定された施設名を選択してもよいし、端末の表示部に表示された地図上の特定の位置を選択してもよい。また、ユーザは、警報範囲として、範囲の中心から範囲の外周までの距離を入力してもよい。設定部１８４は、例えば、ユーザがギャンブル施設Ａを選択し、距離として５０ｍと入力した場合、ギャンブル施設Ａと距離５０ｍとを関連付けて、ギャンブル施設Ａを中心とする半径５０ｍ圏内を範囲情報として記憶部１７に記憶させる。
【００４１】
設定部１８４は、ユーザが範囲情報の削除を指示した場合、ユーザが範囲情報を入力してから所定の待機時間が経過したか否かを判定する。設定部１８４は、ユーザが範囲情報を入力してから所定の待機時間が経過していないと判定した場合、削除指示を受け付ける。設定部１８４は、ユーザが範囲情報を入力してから所定の待機時間が経過したと判定した場合、削除指示を受け付けない。待機時間は例えば１０分である。このようにすることで、ユーザが範囲情報の入力内容を間違えた場合であっても、ユーザが範囲情報を修正することが可能であり、かつ範囲情報が設定された後にユーザが範囲情報を削除できないので、効果的にギャンブル行為を抑制することができる。
【００４２】
また、設定部１８４は、ユーザが警報範囲として距離を入力した場合、記憶部１７に範囲情報として距離を示す情報が記憶されているか否かを判定する。設定部１８４は、距離を示す情報が記憶されていない場合、ユーザが入力した距離を範囲情報として記憶部１７に記憶させる。
【００４３】
設定部１８４は、距離を示す情報が記憶されている場合、すでに記憶された距離が新たに入力された距離より大きいか否かを判定する。設定部１８４は、新たに入力された距離がすでに記憶された距離より大きい場合、入力された距離を範囲情報として記憶部１７に記憶させる。設定部１８４は、新たに入力された距離がすでに記憶された距離以下である場合、入力された距離を記憶部１７に記憶させない。このようにすることで、ユーザは、範囲情報に新たなギャンブル施設を登録したり、警報範囲を大きくしたりすることができるが、ギャンブル施設の削除や警報範囲を小さくすることができない。したがって、ユーザがギャンブル施設に近づきづらくなり、効果的にギャンブル行為を抑制することができる。
【００４４】
設定部１８４は、ユーザが他の端末を介して遅延時間を入力した場合、遅延時間を設定する。設定部１８４は、入力された遅延時間が予め定められた上限値以下であるか否かを判定する。遅延時間の上限値は、例えば５分である。設定部１８４は、入力された遅延時間が上限値以下である場合、遅延時間を記憶部１７に記憶させる。設定部１８４は、入力された遅延時間が上限値より長い場合、入力された遅延時間を破棄する。設定部１８４は、入力された遅延時間を破棄した場合、ユーザが遅延時間を入力した他の端末に、遅延時間を破棄したことを通知してもよい。
【００４５】
設定部１８４は、ユーザが位置を示す座標に関連付けて、高さを示す情報を入力した場合、ユーザが入力した高さにおける警報範囲を設定する。例えば、設定部１８４は、ユーザがギャンブル施設の位置を示す座標に関連付けて、高さを示す情報として３階と入力した場合、ギャンブル施設の３階を警報範囲に設定する。
【００４６】
出力制御部１８５は、予め定められた条件に基づいて警報器１０に警報音を出力させる。以下、出力制御部１８５が警報音を出力させる条件について説明する。
【００４７】
（警報音を出力する条件１）
出力制御部１８５は、取得した位置情報に基づいて警報器１０に警報音を出力させる。具体的には、出力制御部１８５は、位置情報取得部１８１が取得した位置情報が示す位置が警報範囲に含まれる状態になってから所定の遅延時間が経過した場合に警報音の出力を開始させる。図３は、位置情報に基づいて警報音を出力させる動作のフローチャートである。まず、出力制御部１８５は、位置情報取得部１８１に、警報出力装置１の位置を示す位置情報を取得する指示を通知する。
【００４８】
位置情報取得部１８１は、位置情報を取得し、取得した位置情報を出力制御部１８５に通知する（ステップＳ１）。出力制御部１８５は、位置が警報範囲に含まれているか否かを判定する（ステップＳ２）。出力制御部１８５は、位置が警報範囲に含まれていない場合、ステップＳ１に戻り、位置情報取得部１８１に位置情報を取得する指示を通知する。出力制御部１８５は、位置が警報範囲に含まれている場合、ステップＳ３に進む。
【００４９】
出力制御部１８５は、時間の計測を開始する（ステップＳ３）。出力制御部１８５は、位置が警報範囲に含まれてから所定の遅延時間が経過したか否かを判定する（ステップＳ４）。出力制御部１８５は、所定の遅延時間が経過していないと判定した場合、ステップＳ３に戻り、時間の計測を継続する。出力制御部１８５は、所定の遅延時間が経過したと判定した場合、位置情報取得部１８１に位置情報を取得する指示を通知する。位置情報取得部１８１は、出力制御部１８５から位置情報を取得する指示を受信すると、位置情報を取得する（ステップＳ５）。
【００５０】
出力制御部１８５は、位置が警報範囲に含まれているか否かを判定する（ステップＳ６）。出力制御部１８５は、位置が警報範囲に含まれていない場合、ステップＳ１に戻る。出力制御部１８５は、位置が警報範囲に含まれている場合、警報器１０に警報音の出力を開始させる（ステップＳ７）。
【００５１】
出力制御部１８５は、位置情報取得部１８１に位置情報を取得する指示を通知し、位置情報取得部１８１は取得した位置情報を出力制御部１８５に通知する（ステップＳ８）。出力制御部１８５は、位置情報が示す位置が警報範囲に含まれているか否かを判定する（ステップＳ９）。
【００５２】
出力制御部１８５は、位置情報が示す位置が警報範囲に含まれている場合、Ｓ７に戻り、警報器１０に警報音の出力を継続させる。出力制御部１８５は、位置情報が示す位置が警報範囲に含まれない状態になったと判定した場合に警報音の出力を停止させる（ステップＳ１０）。このようにすることで、警報出力装置１は、例えばユーザがギャンブル施設に入ろうとしたときに警報音を出力させるので、ユーザがギャンブル施設に入店しづらくなり、ギャンブル行為を行うことを抑制することができる。また、警報出力装置１は、ユーザがギャンブル施設に入店してギャンブル行為を行っている場合でも警報音を出力するので、遅延時間が経過する前にギャンブル行為を開始した場合であっても、ユーザのギャンブル行為を抑制することができる。
【００５３】
（警報音を出力する条件２）
出力制御部１８５は、電池の残量に基づいて警報器１０に警報音を出力させる。出力制御部１８５は、残量検出部１８２が検出した電池の残量が所定の閾値以下になった場合に警報器１０に警報音の出力を開始させる。そして、出力制御部１８５は、位置情報が示す位置が警報範囲に含まれない状態で充電部１５が電池１４の充電を開始した場合に警報音の出力を停止させ、位置情報が示す位置が警報範囲に含まれる状態で充電部１５が電池１４の充電を開始した場合に警報音の出力を継続する。図４は、電池の残量に基づいて警報音を出力させる動作のフローチャートである。
【００５４】
まず、出力制御部１８５が、残量検出部１８２が検出した電池の残量を取得する（ステップＳ１０）。出力制御部１８５は、電池の残量が所定の閾値以下か否かを判定する（ステップＳ１１）。所定の閾値は、例えば２０％である。出力制御部１８５は、電池の残量が所定の閾値より大きいと判定した場合、ステップＳ１０に戻り、残量検出部１８２に電池の残量を検出する指示を通知する。
【００５５】
出力制御部１８５は、残量検出部１８２が検出した電池の残量が所定の閾値以下であると判定した場合、警報器１０に警報音の出力を開始させる（ステップＳ１２）。続いて、出力制御部１８５は、充電部１５が電池の充電を開始したか否かを判定する（ステップＳ１３）。出力制御部１８５は、充電部１５が電池の充電を開始していない場合、ステップＳ１２に戻り、警報音の出力を継続させる。出力制御部１８５は、充電部１５が電池の充電を開始したと判定した場合、位置情報取得部１８１に位置情報を取得する指示を通知する。位置情報取得部１８１は、位置情報を取得する（ステップＳ１４）。
【００５６】
出力制御部１８５は、位置情報が示す位置が警報範囲に含まれているか否かを判定する（ステップＳ１５）。出力制御部１８５は、位置情報が示す位置が警報範囲に含まれていると判定した場合、ステップＳ１２に戻り、警報音の出力を継続させる。出力制御部１８５は、位置情報が示す位置が警報範囲に含まれていないと判定した場合、警報音の出力を停止させる（ステップＳ１６）。
【００５７】
このように、警報出力装置１は、電池の残量が低下すると警報音を出力させてユーザに充電を促すので、電池の残量がなくなってしまい、動作しない状態になることを防止できる。さらに、警報出力装置１は、ギャンブル施設から所定の範囲内で充電を行っても警報音を出力させるので、ユーザは、ギャンブル施設から離れた場所で充電せざるを得ず、ギャンブル行為を抑制することができる。
【００５８】
（警報音を出力する条件３）
出力制御部１８５は、検出した音に基づいて警報音を出力してもよい。具体的には、出力制御部１８５は、音検出部１８０が検出した音が所定の条件を満たす場合に警報音の出力を開始させる。例えば、出力制御部１８５は、周囲の音から特徴的なパターンを抽出し、検出したパターンが、予め記憶部１７に記憶されたギャンブル施設に特有のパターンと一致した場合に、警報音の出力を開始させる。ギャンブル施設に特有のパターンは、例えば、パチンコ店で発生する音の周波数分布パターンである。なお、出力制御部１８５が行う特徴的なパターンの抽出には、公知の技術を使用することができる。
【００５９】
出力制御部１８５は、位置情報が示す位置が警報範囲に含まれていると判定した場合、予め定められた出力先に、位置が警報範囲に含まれていることを示す情報を送信してもよい。例えば、出力制御部１８５は、予め定められたメールアドレスに、警報出力装置１が警報範囲に含まれていることを示す警告情報を送信する。具体的には、出力制御部１８５は、ユーザの家族が使用するメールアドレスやユーザが利用するＳＮＳ上に、「〇〇さんがギャンブルを行っている可能性があります」というテキストメッセージを送信する。
【００６０】
（変形例１）
以上の説明において、出力制御部１８５は、条件を満たした場合に警報音の出力を開始させたが、警報音の大きさを制御してもよい。例えば、出力制御部１８５は、条件を満たした場合に、警報音の音が小さい状態で警報音の出力を開始させ、一定時間が経過するごとに警報音の大きさを大きくする。具体的には、出力制御部１８５は、条件を満たした場合に警報音の大きさが１０デシベルの状態で警報音の出力を開始し、１０秒経過するごとに警報音の大きさを１０デシベルずつ大きくする。
【００６１】
このようにすることで、警報出力装置１は、ユーザがギャンブル施設に入店しそうな場合又はギャンブル行為を行ってしまっている場合に、小さい音で警報音を出力するので、ユーザは周囲に迷惑をかけることなく警報音に気づくことができる。また、警報出力装置１は、ユーザが、警報音を無視してギャンブル施設に入店したり、ギャンブル行為を継続したりする場合、次第に大きな音で警報音を出力するので、ユーザは、周囲に迷惑を掛かけしまうので、ギャンブル行為を抑制することができる。
【００６２】
（変形例２）
警報出力装置１は、携帯端末であってもよい。携帯端末は、例えば電池パックの取り外しが困難であるように構成された、スマートフォン又はタブレットＰＣである。携帯端末である警報出力装置１の制御部１８は、自機の動作を停止する指示を受けた場合、少なくとも位置センサ１２、位置情報取得部１８１、及び出力制御部１８５の動作を維持する。出力制御部１８５は、自機の位置情報を取得し、自機の位置が警報範囲に含まれるか否かを判定する。出力制御部１８５は、位置が警報範囲に含まれると判定した場合、警報器１０を動作させ、警報器１０に警報音を出力させる。このようにすることで、警報出力装置１は、ユーザが警報出力装置１の動作を停止させた状態でギャンブル行為を行おうとしても、警報音を出力することができるので、ユーザがギャンブル行為を行うことを抑制することができる。
【００６３】
なお、携帯端末である警報出力装置１の制御部１８であるＣＰＵは、プログラムを実行することにより、各動作ブロックとして機能する。例えば、携帯端末である警報出力装置１の制御部１８は、プログラムを実行することにより、位置情報を取得する位置情報取得部１８１、及び位置情報取得部１８１が取得した位置情報が示す位置が、記憶部１７に記憶された警報範囲に含まれる状態になってから所定の遅延時間が経過した場合に警報音の出力を開始させる出力制御部１８５として機能する。
【００６４】
（変形例３）
警報出力装置１は、携帯端末と連動できるようにしてもよい。例えば、警報出力装置１の出力制御部１８５は、連動する携帯端末から所定の距離より離れたことを検出すると、警報器１０に警報音を出力させる。出力制御部１８５は、連動して動作する携帯端末から所定の距離以上離れたことを検出した後に所定の遅延時間が経過した時点で、警報器１０に警報音を出力させてもよい。出力制御部１８５は、携帯端末から所定の距離以内に入ったことを検出すると、警報器１０に警報音の出力を停止させる。また、出力制御部１８５は、携帯端末から位置情報を取得する機能が無効であることの通知を受けた場合、警報器１０に警報音を出力させてもよい。
【００６５】
警報出力装置１の出力制御部１８５は、携帯端末と一定時間ごとに情報の送受信を行い、情報の送受信を行うことができない場合、警報音を出力するようにしてもよい。例えば、出力制御部１８５は、携帯端末から送信される情報を受信できない場合に、警報器１０に警報音を出力させる。具体的には、出力制御部１８５は、ユーザが、携帯端末の電源ボタンを押して動作を停止したり、携帯端末の電池を抜き取ったり、携帯端末を破壊したりした場合に、警報器１０に警報音を出力させる。
【００６６】
警報出力装置１と連動する携帯端末のＣＰＵは、警報出力装置１の出力制御部１８５と同様に、警報出力装置１から所定の距離より離れたことを検出すると、スピーカーに警報音を出力させてもよい。また、携帯端末のＣＰＵは、警報出力装置１と一定時間ごとに情報の送受信を行い、情報の送受信を行うことができない場合、警報音を出力させるようにしてもよい。携帯端末のＣＰＵは、例えば、ユーザが警報出力装置１を破壊し、警報出力装置１からの情報を受信できない場合、警報音を出力する。
【００６７】
なお、警報出力装置１は、携帯端末と連動する場合、警報器１０、通信部１３、電池１４及び充電部１５を少なくとも有し、携帯端末にインストールされたプログラムが、携帯端末のＣＰＵを位置情報取得部及び出力制御部として機能させてもよい。例えば、携帯端末は、周囲の音を取得するためのマイクと、制御部であるＣＰＵと、ＣＰＵが実行する動作プログラム及び警報範囲を記憶する記憶部と、自機の位置を示す位置情報を検出するためのＧＰＳ受信機と、警報出力装置１と通信するための通信部と、電池とを有する。携帯端末のＣＰＵは、プログラムを実行することにより、電池の残量を検出する残量検出部、位置情報を取得する位置情報取得部、自機の各部への電力の供給を制御する給電制御部、及び周囲の音を検出する音検出部として機能する。携帯端末のＣＰＵは、警報音を出力するか否かを判定する判定部として機能する。
【００６８】
携帯端末のＣＰＵは、自機の位置を示す位置情報を取得し、通信部を介して警報出力装置１に位置情報を送信する。また、携帯端末のＣＰＵは、位置情報に示される位置が、警報範囲に含まれている場合、警報音を出力する指示を含む指示情報を警報出力装置１に送信する。
【００６９】
以上説明したように、ユーザが外出時に携帯する可能性が高い携帯端末と警報出力装置１とを連動させることで、ユーザが警報出力装置１を持参する確率が高まるので、ギャンブル行為を抑制できる可能性が高くなる。また、ＧＰＳ受信機のように携帯端末が有する機能の一部を利用することで、警報出力装置１を小さくできるので、ユーザは警報出力装置１を使いやすくなる。
【００７０】
（変形例４）
以上の説明においては、キーホルダーが付属している警報出力装置１の警報器１０が警報音を出力したが、これに限らず、警報出力装置１と連動するキーホルダー（以下、キーホルダー機という）が警報音を出力するようにしてもよい。キーホルダー機は、ユーザが普段身に着ける物、例えば家の鍵、車の鍵、又は財布などに取り付けて使うことができる。キーホルダー機は、警報出力装置１との間で通信するための通信部と、警報音を出力する警報器と、警報器に警報音を出力させる出力制御部と、キーホルダー機を動作させるための電池とを有する。なお、電池はキーホルダー機から取り外しできないように構成されていてもよい。また、キーホルダー機は、充電部と、電源ボタンとを有していてもよい。
【００７１】
キーホルダー機の出力制御部は、警報出力装置１から所定の距離より離れたことを検出すると、警報器に警報音を出力させる。出力制御部は、警報出力装置１から所定の距離以内に入ったことを検出すると、警報器に警報音の出力を停止させる。このようにすることで、ユーザが、警報出力装置１及び警報出力装置１と連動するキーホルダー機を所持せずに出かけることを防止することができる。
【００７２】
なお、キーホルダー機は、警報器及び出力制御部を有していなくてもよい。キーホルダー機は、通信部を介して警報出力装置１との間で通信する。警報出力装置１の出力制御部１８５は、キーホルダー機と通信できないことによりキーホルダー機が自機から所定の距離より離れたことを検出すると、警報器１０に警報音を出力させる。このようにすることで、警報出力装置１と連動するキーホルダー機を小型化することができるので、キーホルダーとしての使い勝手が向上する。例えば、車の鍵に装着した場合、運転時に邪魔にならない。
【００７３】
また、キーホルダー機が小型化し、警報出力装置１から分離独立することにより、ユーザは、外出時に携帯する複数の物品に、一つずつ装着することができる。例えば、ユーザは、複数のキーホルダー機を、鍵と、財布と、鞄とにそれぞれに一つずつ装着することができる。この場合、警報出力装置１の出力制御部１８５は、複数のキーホルダー機のいずれか一つとの間で通信できない状態になった場合に、警報器１０に警報音を出力させる。このようにすることで、キーホルダー機の使い勝手を向上させつつ、警報出力装置１を所持せずに出かけることを防止することができる。
【００７４】
具体的には、ユーザは、キーホルダー機を、鍵と財布とに取り付けることができる。このようにすることで、ユーザが、警報出力装置１と財布を自宅に置いて現金だけを持ってギャンブル施設に行こうとした場合であっても、車や家の鍵にもキーホルダー機が取り付けられているので、ギャンブル施設に行くことを抑制することができる。このように、複数の持ち物に取り付けられたキーホルダー機と連動した警報出力装置１が警報音を出力するので、ユーザがギャンブル施設に行くことをより確実に抑制することができる。
【００７５】
なお、警報出力装置１及びキーホルダー機に付属するキーホルダーは、施錠するための鍵部を有し、鍵部は一度施錠すると素手では解錠できないように構成されている。キーホルダーの鍵部は、所定の工具でなければ解錠できないように構成するのが望ましいが、これに限らず一度施錠すると解錠できないように構成してもよい。また、警報出力装置１及びキーホルダー機は、鍵部が所定の工具によらず開錠された場合に警報音を出力してもよい。例えば、警報出力装置１及びキーホルダー機は、鍵部が破壊された場合に警報音を出力する。
【００７６】
警報出力装置１及びキーホルダー機のそれぞれは、一定時間ごとに情報の送受信を行い、情報の送受信を行うことができない場合、警報音を出力してもよい。情報の送受信を行うことができない場合は、どちらか一方の動作が停止している状態である。動作が停止している状態は、例えば、ユーザが電池を抜き取ったり、警報出力装置１又はキーホルダー機の電源ボタンを押して動作を停止させたり、ユーザがどちらか一方の装置を破壊したりした場合である。具体的には、警報出力装置１は、連動するキーホルダー機が破壊された場合に警報音を出力する。また逆に、キーホルダー機は、連動する警報出力装置１が破壊された場合に警報音を出力する。
【００７７】
［第１の実施形態の効果］
以上説明したように、警報出力装置１は、位置情報が示す位置が警報範囲に含まれる状態になってから所定の遅延時間が経過した場合に警報器１０に警報音の出力を開始させる。このようにすることで、警報出力装置１は、ユーザが、ギャンブル施設に入店しそうな場合、又はギャンブル施設に入店してギャンブル行為を行っている場合に、警報音を出力するので、ユーザのギャンブル行為を抑制することができる。
【００７８】
＜第２の実施形態＞
第２の実施形態に係る警報出力装置３は、車両と接続されたカーナビゲーション・システムである。警報出力装置３は、車両のクラクション４、及び車両のエンジン５と接続されている。図５は、第２の実施形態における警報出力装置３の構成を示す図である。警報出力装置３は、位置センサ３１と、表示部３２と、通信部３３と、記憶部３７と、制御部３８とを有する。制御部３８は、設定部３８０と、位置情報取得部３８１と、表示制御部３８２と、エンジン監視部３８３と、出力制御部３８４とを含む。
【００７９】
位置センサ３１は、例えばＧＰＳ受信機であり、警報出力装置３の位置を示す位置情報を検出し、位置情報取得部３８１に通知する。表示部３２は、表示制御部３８２の指示に基づいて情報を表示する、例えば液晶ディスプレイである。表示部３２は、表面にタッチパネルを有していてもよい。ユーザは、表示部３２にタッチすることにより各種の操作を行ったり、警報範囲を入力したりすることができる。表示部３２は、ユーザから警報範囲の入力を受け付け、制御部３８に通知する。通信部３３は、第１の実施形態の通信部１３と同様の通信インタフェースである。通信部３３は、他の端末から受信した情報又は指示を設定部３８０に通知する。
【００８０】
記憶部３７は、制御部３８の処理手順を記述した制御プログラムを記憶する。記憶部３７は、ＲＯＭ、ＲＡＭ及びハードディスク等の記憶媒体である。記憶部３７は、警報音を出力する位置の範囲である警報範囲を示す範囲情報を記憶する。
【００８１】
制御部３８は、例えばＣＰＵであり、記憶部３７に記憶されたプログラムを実行することにより各動作ブロックを動作させる制御手段である。制御部３８は、表示部３２から、ユーザが入力した警報範囲を受けると、警報範囲を示す範囲情報を記憶部３７に記憶させる。制御部３８は、記憶部３７に記憶されたプログラムを実行することにより、設定部３８０、位置情報取得部３８１、表示制御部３８２、エンジン監視部３８３、及び出力制御部３８４として機能する。
【００８２】
設定部３８０は、第１の実施形態と同様、警報音を出力する位置の範囲である警報範囲を設定する。設定部３８０は、通信部３３又は表示制御部３８２から警報範囲の通知を受けると、通知された警報範囲を記憶部３７に記憶させる。
【００８３】
位置情報取得部３８１は、位置センサ３１から警報出力装置３の位置を示す位置情報を取得する。位置情報取得部３８１は、通信部３３から位置を示す位置情報を取得してもよい。位置情報取得部３８１は、取得した位置情報を出力制御部３８４に通知する。表示制御部３８２は、表示部３２を制御して表示部３２に各種情報を表示させる表示制御手段である。表示制御部３８２は、出力制御部３８４の指示に基づいて、警報出力装置３の位置が、警報音を出力する位置の範囲を示す警報範囲に含まれていることを示す警告情報を表示部３２に表示させる。警告情報は、例えば位置が警報範囲に含まれていることを示すテキスト、自機の位置が含まれる地図に自機の位置と警報範囲とを重畳した画像である。
【００８４】
エンジン監視部３８３は、エンジン５の動作状態を監視する。エンジン監視部３８３は、例えばエンジン５の動作状態が変化した場合に、動作状態が変化したことを出力制御部３８４に通知する。具体的には、エンジン監視部３８３は、エンジン５が始動された場合にエンジン５が始動されたことを出力制御部３８４に通知し、エンジン５が停止した場合にエンジン５が停止したことを出力制御部３８４に通知する。
【００８５】
出力制御部３８４は、クラクション４に警報音を出力させる出力制御手段である。出力制御部３８４は、位置情報が示す位置が警報範囲に含まれる状態で、警報出力装置３が接続されている車両のエンジン５が停止してから所定の遅延時間が経過した場合にクラクション４に警報音の出力を開始させる。そして、出力制御部３８４は、車両のエンジン５が始動した場合に、警報音の出力を停止させる。以下、警報出力装置３の動作について、図６のフローチャートを用いて詳細に説明する。
【００８６】
図６は、第２の実施形態における警報出力装置３の動作のフローチャートである。ステップＳ２０はステップＳ１と同様の動作であり、ステップＳ２１はステップＳ２と同様の動作なので説明を省略する。エンジン監視部３８３は、エンジン５の動作状態を監視し、エンジン５の動作状態を出力制御部３８４に通知する。出力制御部３８４は、エンジン５が停止したか否かを判定する（ステップＳ２２）。
【００８７】
出力制御部３８４は、エンジン５が動作していると判定した場合、ステップＳ２０に戻る。出力制御部３８４は、エンジン５が停止していると判定した場合、ステップＳ２３に進む。ステップＳ２３及びステップＳ２４は、ステップＳ３及びステップＳ４と同様なので省略する。
【００８８】
出力制御部３８４は、所定の遅延時間が経過したと判定した場合、クラクション４に警報音の出力を開始させる（ステップＳ２５）。出力制御部３８４は、エンジン監視部３８３の通知に基づいて、エンジン５が始動されたか否かを判定する（ステップＳ２６）。出力制御部３８４は、エンジン５が停止していると判定した場合、ステップＳ２５に戻り警報音の出力を継続させる。出力制御部３８４は、エンジン５が始動されたと判定した場合、警報音の出力を停止する（ステップＳ２７）。
【００８９】
出力制御部３８４は、ユーザが電源ボタンを押すことにより、ユーザから警報出力装置３の動作を停止する指示を受けた場合、警報出力装置３の位置が警報範囲に含まれているか否かを判定する。出力制御部３８４は、位置が警報範囲に含まれている場合、警報出力装置３の動作を停止させない。このようにすることで、ユーザが警報音を止めようとして警報出力装置３の動作を停止させようとしても、警報出力装置３は動作を停止させずに警報音を出力するので、ユーザのギャンブル行為を抑制することができる。
【００９０】
なお、出力制御部３８４は、ユーザが電源ボタンを押すことにより、ユーザから警報出力装置３の動作を停止する指示を受けた場合、少なくとも位置センサ３１、位置情報取得部３８１、及び出力制御部３８４の動作を維持するようにしてもよい。このようにすることで、ユーザが、警報範囲に含まれない位置で警報出力装置３の動作を停止しようとしても、警報出力装置３は、警報音を出力する機能を維持することができる。
【００９１】
また、警報出力装置３は、電源ボタンを有していなくてもよい。このようにすることで、ユーザは、警報出力装置３の動作を停止することができないので、確実にギャンブル行為を抑制することができる。
【００９２】
（変形例）
本実施形態における警報出力装置３は、車両から取り外せないことを想定したが、これに限らず警報出力装置３は、車両から取り外せる構成とし、電池及び充電部を有していてもよい。車両から取り外せる構成の警報出力装置３は、第１の実施形態における警報出力装置１と同様の構成であってもよい。
【００９３】
車両から取り外せる構成の警報出力装置３は、警報器を有する構成であってもよい。車両から取り外せる構成の警報出力装置３は、車両に取り付けられている場合はクラクション４に警報音を出力させ、車両から取り外されている場合は警報器に警報音を出力させる。なお、警報出力装置３は、車両から取り外された場合であっても車両との接続を維持し、クラクション４に警報音を出力させてもよい。
【００９４】
車両から取り外せる構成であり、かつ警報器を有する警報出力装置３は、警報器、位置センサ３１、電池、充電部、及び制御部３８が、他の部分と分離できる構成であってもよい。このようにすることで、警報出力装置３を持ち運ぶ必要のある部分を小さくすることができるので、ユーザの利便性を向上することができる。さらに、警報出力装置３は、接続される車両のスマートキーを有する構成としてもよい。このようにすることで、警報出力装置３のユーザは、警報出力装置３を持ち運ぶ必要性が高まるので、置き忘れたり、所持せずに出かけたりすることを防止できるので効果的にギャンブル行為を抑制することができる。
【００９５】
［第２の実施形態の効果］
以上説明したように、車両と接続された警報出力装置３は、接続された車両の位置が警報範囲に含まれている状態で所定の遅延時間が経過した後に、警報音の出力を開始する。このようにすることで、警報出力装置３が接続された車両を運転するユーザは、例えばギャンブル施設に入店するためにギャンブル施設の駐車場に車両を駐車してエンジンを停止した場合に、車両のクラクションが鳴りだすので、ギャンブル施設に入店しづらくなり、その結果ギャンブル行為を抑制することができる。
【００９６】
＜第３の実施形態＞
第１の実施形態に係る警報出力装置１は、ユーザが予め設定されたギャンブル施設の近くに所定の時間以上滞在している場合に、警報情報として警報音を出力した。これに対して、第３の実施形態に係る警報出力装置２は、ユーザが予め設定されたギャンブル施設の近くに所定の時間以上滞在している場合に他の装置の動作を制限させるための警報情報を出力するという点で、第１の実施形態に係る警報出力装置１と異なる。第３の実施形態に係る警報出力装置２は、警報器１０を有していなくてもよい。他の装置は、例えば、ユーザが使用するスマートフォン、ＰＣ又はユーザの自宅のスマートスピーカーや電子錠のように通信機能を持つ電子機器である。以下の説明においては、他の装置がスマートフォンであるとして説明する。
【００９７】
ユーザＵが所持する警報出力装置２は、自機の位置がギャンブル施設から所定の範囲内に含まれていると判定した場合、時間の計測を開始する。警報出力装置２は、所定の遅延時間が経過した後に、自機の位置が所定の範囲内に含まれていると判定した場合、予め設定されたユーザが使用するスマートフォンに対して少なくとも一部の機能を制限させるための警報情報を出力する。
【００９８】
ユーザが使用するスマートフォンには、当該スマートフォンの一部の機能を制限するための制限用アプリケーション（以下、制限アプリという）がインストールされている。制限アプリは、警報情報を受信した場合にスマートフォンの少なくとも一部の機能を制限する。例えば、制限アプリは、通話又はインターネット接続を行えないようにする。制限アプリは、ＳＮＳ又は音楽プレーヤーなどの他のアプリケーションを実行できないようにしてもよい。また、制限アプリは、タッチパネルでの操作を行えないようにしてもよい。
【００９９】
このようにすることで、スマートフォンを使用するユーザは、スマートフォンの機能を制限されることを避けるため、ギャンブル施設へ近づかなくなる。そのため、警報出力装置２は、ユーザがギャンブル施設へ行くことを抑制できる。
【０１００】
［第３の実施形態に係る警報出力装置２の構成］
図７は、第３の実施形態に係る警報出力装置２の構成を示す図である。本実施形態の警報出力装置２の記憶部１７は、警報情報を出力する対象となる他の装置を識別するための装置識別情報を記憶する。他の装置がスマートフォンである場合、記憶部１７は、スマートフォンを識別するためのＭＡＣアドレス又は電話番号を装置識別情報として記憶する。これに限らず、装置識別情報は、他の装置を識別できるものであればよい。
【０１０１】
出力制御部１８５は、位置情報取得部１８１が取得した位置情報が示す位置が警報範囲に含まれる状態になってから所定の遅延時間が経過した場合に、スマートフォンの動作を制限させるための警報情報をスマートフォンに出力する。例えば、出力制御部１８５は、スマートフォンの少なくとも一部の機能を利用できなくする警報情報を出力する。具体的には、出力制御部１８５は、通話又はインターネット接続を行えないようにする指示を含む警報情報を制限アプリがインストールされたスマートフォンに送信する。また、出力制御部１８５は、スマートフォンに対して設定された特定の機能のみ利用できるようにさせる警報情報を出力してもよい。特定の機能は、例えば、着信に対する応答、緊急通報用電話番号又はユーザの家族が使用する携帯端末に対応する電話番号に対する発信である。
【０１０２】
出力制御部１８５は、スマートフォンの機能を制限する期間を示す制限期間情報を含む警報情報を出力してもよい。機能を制限する期間は、例えば、ユーザがスマートフォンを使用し終わってから次に使用するまでの期間より長い期間である。機能を制限する期間は、具体的には２４時間である。また、出力制御部１８５は、警報情報を出力した回数を記憶部に記憶させ、回数が多いほど機能を制限する期間を長くしてもよい。このようにすることで、ユーザがギャンブル施設に行くたびにスマートフォンを使用できなくなる期間が長くなる。そのため、出力制御部１８５は、ユーザがギャンブル施設に行くことを抑制する効果を高めることができる。
【０１０３】
出力制御部１８５は、記憶部に記憶されたスマートフォンを識別するための装置識別情報を含む警報情報を出力してもよい。このようにすることで、出力制御部１８５は、予め定められたスマートフォンに対して警報情報を出力することができる。
【０１０４】
また、出力制御部１８５は、警報情報を出力した後に、警報情報を再度出力してもよい。例えば、出力制御部１８５は、警報情報を出力した後に、スマートフォンにインストールされた制限アプリから、スマートフォンが動作していることを示す動作情報を受信したことに応じて、警報情報を再度出力する。また、出力制御部１８５は、スマートフォンから警報情報を受信したことを示す情報を取得していない場合、警報情報を再度出力してもよい。
【０１０５】
出力制御部１８５は、電池の残量をスマートフォンに通知してもよい。スマートフォンは、通知された電池の残量が、警報出力装置２の充電が必要な基準値以下である場合に、充電を促すメッセージを表示する。このようにすることで、警報出力装置２がディスプレイを有していない場合であっても、ユーザが警報出力装置２を充電する必要があることを認識することができる。
【０１０６】
出力制御部１８５は、残量検出部１８２が検出した電池の残量に基づいて警報情報を出力する。例えば、出力制御部１８５は、電池の残量が第１の閾値以下になった場合に充電を促すメッセージを出力する。第１の閾値は、例えば３０％である。充電を促すメッセージは、例えば「警報出力装置の電池の残量が３０％以下です。警報出力装置を充電してください」というテキストである。充電を促すメッセージを含む警報情報を受信したスマートフォンは、スマートフォンの表示部にメッセージを表示する。このようにすることで、警報出力装置２は、ユーザに警報出力装置２の充電を促すことができる。
【０１０７】
また、出力制御部１８５は、充電を促すメッセージを出力した後に、電池の残量が第１の閾値より小さい第２の閾値以下になった場合、スマートフォンの少なくとも一部の機能を制限する警報情報を出力する。出力制御部１８５は、警報情報とともに、充電を促すメッセージを出力してもよい。第２の閾値は、例えば１０％である。電池の残量が第２の閾値以下になった場合における充電を促すメッセージは、第１の閾値以下になった場合に出力するメッセージと異なり、例えば「警報出力装置の電池の残量が１０％以下になったので、警報出力装置を充電するまでスマートフォンの機能を制限します」というテキストである。
【０１０８】
充電を促すメッセージとともにスマートフォンの少なくとも一部の機能を制限する警報情報を受信したスマートフォンは、スマートフォンの表示部にメッセージを表示し、スマートフォンの少なくとも一部の機能を制限する。このように、警報出力装置２は、電池の残量が第２の閾値以下になった場合にスマートフォンの機能を制限するので、警報出力装置２が動作しなくなってしまい、ユーザがギャンブル施設から所定の範囲内にいるにもかかわらずスマートフォンを使用し続けることができるようになることを防止できる。
【０１０９】
出力制御部１８５は、スマートフォンの少なくとも一部の機能を制限する警報情報を出力した後、機能の制限を解除する解除情報を出力してもよい。例えば、出力制御部１８５は、位置情報が示す位置が警報範囲に含まれない状態になった場合、解除情報をスマートフォンに出力する。このようにすることで、出力制御部１８５は、ギャンブル施設に入ってスマートフォンを使用できなくなったユーザに、スマートフォンを利用するためにギャンブル施設から退出することを促すことができる。
【０１１０】
出力制御部１８５は、ギャンブル施設に行っていないユーザが警報出力装置２の充電を開始するとスマートフォンの機能の制限を解除する。具体的には、出力制御部１８５は、残量が閾値以下となって警報情報を出力した後に、位置情報が示す位置が警報範囲に含まれない状態で充電部１５が電池１４の充電を開始した場合に、スマートフォンの動作の制限を解除させるための解除情報を出力する。このようにすることで、出力制御部１８５は、ギャンブル施設に行くことを抑制しているユーザのスマートフォンの機能の制限を解除することができる。
【０１１１】
［スマートフォンの機能を制限するための制限用アプリケーション］
以下、スマートフォンの機能を制限するための制限用アプリケーション（制限アプリ）について説明する。制限アプリは、スマートフォンが備えるプロセッサを、警報情報を受信する受信部、及びスマートフォンの少なくとも一部の機能を制限する機能制御部として機能させるためのプログラムである。
【０１１２】
受信部は、第３の実施形態に係る警報出力装置２から、スマートフォンの少なくとも一部の機能を制限させるための警報情報を受信する。例えば、受信部は、自装置の識別情報に対応する装置識別情報を含む警報情報を受信する。
【０１１３】
機能制御部は、受信部が警報情報を受信した場合に少なくとも一部の機能を制限する。また、機能制御部は、受信部が制限期間情報を含む警報情報を受信した場合、制限期間情報に示される期間の間、少なくとも一部の機能を制限する。このようにすることで、機能制御部は、スマートフォンの少なくとも一部の機能を制限するので、ユーザがギャンブル施設へ行くことを抑制できる。
【０１１４】
ユーザがスマートフォンを再起動することによりスマートフォンの機能の制限状態が解除されると、ユーザへの抑止効果が低減する。そこで、制限アプリは、スマートフォンの電源がオフされた後に電源がオンされた場合でも、スマートフォンの少なくとも一部の機能を制限する。例えば、制限アプリは、警報情報を受信した時刻と、制限期間とに基づいて、機能の制限を解除する解除時刻を特定し、解除時刻を経過するまで機能を制限する。
【０１１５】
このようにすることで、制限アプリは、ユーザがスマートフォンを再起動した場合であっても、スマートフォンの機能を制限できるので、ユーザがギャンブル施設へ行くことを抑制できる。また、制限アプリは、警報出力装置２が警報情報を出力した際に、スマートフォンの電源がオフの状態であっても、ユーザが電源をオンにして警報情報を受信した時点からスマートフォンの機能の制限を開始することができるので、ユーザが意図的にスマートフォンの電源をオフにして、ギャンブル施設へ行くことを防止できる。
【０１１６】
なお、制限アプリをユーザがアンインストールしてしまうと、ユーザへの抑止効果がなくなってしまう。そこで、ユーザが容易に制限アプリをアンインストールできないようにすることが望ましい。
【０１１７】
そこで、制限アプリは、ユーザからアンインストールの指示が入力された場合、アンインストール料金を徴収する。料金を徴収する方法としては、有料アプリをインストールする際にユーザに料金を徴収するために用いられるシステムを適宜利用することができる。アンインストール料金は、例えば、ユーザがギャンブル施設で使う金額に相当する料金であることが好ましい。このように、アンインストールするときに費用を発生させることで、ユーザは、制限アプリのアンインストールを躊躇する。そのため、制限アプリは、制限アプリがユーザにアンインストールされることを抑制できる。また、ユーザが制限アプリをアンインストールした場合、ユーザは、ギャンブル施設で使う金額に相当する料金を支払うことになる。そのため、ユーザの資金が少なくなるので、制限アプリは、ユーザがギャンブル施設を利用することを困難にすることができる。
【０１１８】
また、制限アプリは、スマートフォンにインストールされたときに、アンインストール時に必要なパスワードを自動的に設定してもよい。制限アプリは、ユーザからアンインストールの指示が入力された場合、ユーザから文字列の入力を受け付ける。制限アプリは、入力された文字列と、設定したパスワードとが一致しない場合、アンインストールしない。制限アプリは、自動的に設定したパスワードを、インストールされたスマートフォンと異なる装置（例えば、ユーザの家族が使用する携帯端末など）に送信する。このようにすることで、ユーザが制限アプリをアンインストールすることを抑制できる。
【０１１９】
なお、制限アプリは、警報情報を出力する警報出力装置２の警報範囲、遅延時間、及びスマートフォンの少なくとも一部の機能を制限する時間を適宜設定できる。警報範囲、及び遅延時間の設定方法は、第１の実施形態に係る警報出力装置１と同様の設定方法を適宜使用することができる。
【０１２０】
［警報範囲を設定する処理］
以下、制限アプリが実行する警報範囲を設定する処理について説明する。制限アプリは、ユーザから各種設定値の入力を受け付ける入力画面をユーザのスマートフォンの表示部に表示させる。具体的には、制限アプリは、ユーザが入力した操作に基づいて、警報範囲を設定する。
【０１２１】
まず、制限アプリは、警報情報を出力する位置の範囲である警報範囲を設定する。制限アプリは、ユーザが入力した操作に基づいて警報情報を出力する警報出力装置２の警報範囲を設定する。制限アプリは、ユーザが複数の警報範囲を入力した場合、ユーザが入力した複数の警報範囲それぞれに対応する警報範囲を設定する。
【０１２２】
次に、制限アプリは、警報範囲に進入してから警報情報を出力するまでの時間を示す滞在許容時間（遅延時間）を設定する。具体的には、制限アプリは、ユーザから時間の入力を受けると、入力された時間が予め定められた上限時間以下か否かを判定する。制限アプリは、入力された時間が上限時間以下である場合、入力された時間を滞在許容時間として設定する。制限アプリは、入力された時間が上限時間より長い場合、ユーザが入力した時間が設定できないことを示すエラー情報をスマートフォンの表示部に表示させる。制限アプリは、入力された時間が上限時間より長い場合、エラー情報とともに、予め定められた滞在許容時間を示す情報を表示部に表示させてもよい。予め定められた滞在許容時間は、例えば平均的な信号待ち時間以上であり、具体的には１２０秒である。
【０１２３】
続いて、制限アプリは、スマートフォンの少なくとも一部の機能を制限する時間を示すロック時間を設定する。具体的には、制限アプリは、ユーザから入力された時間が予め定められた下限時間以上か否かを判定する。制限アプリは、入力された時間が下限時間以上であると判定すると、入力された時間をスマートフォンの少なくとも一部の機能を制限する時間を示すロック時間として設定する。制限アプリは、入力された時間が下限時間より短いと判定すると、ユーザが入力した時間が設定できないことを示すエラー情報をスマートフォンの表示部に表示させる。制限アプリは、入力された時間が下限時間より短い場合、エラー情報とともに、予め定められたロック時間を示す情報を表示部に表示させてもよい。予め定められたロック時間は、例えば２４時間である。
【０１２４】
制限アプリは、警報範囲を削除する指示の入力を受けた場合であっても、警報範囲を削除しない。ただし、制限アプリは、警報範囲を設定してから所定の時間が経過するまでに、警報範囲を削除する指示の入力を受けた場合、警報範囲を削除することを許可することにより、警報範囲が誤入力された場合に修正できるようにしてもよい。なお、制限アプリは、警報範囲を削除する指示に換えて、警報範囲を狭くする指示の入力を受けた場合も、警報範囲を狭くする指示の入力を受け付けないようにしてもよい。また、制限アプリは、各種の設定を変更（再設定）する場合に、料金を徴収するようにしてもよい。
【０１２５】
制限アプリは、新たな警報範囲を設定する指示が入力された場合、新たな警報範囲を設定し、複数の警報範囲を記憶部１７に記憶させる。同様に、制限アプリは、設定されている警報範囲を広げる指示の入力を受けた場合、入力された指示に基づいて設定されている警報範囲を広げた新たな警報範囲を設定する。
【０１２６】
（変形例１）
以上の説明においては、警報出力装置２が警報情報を出力し、スマートフォンにインストールされた制限アプリが、警報情報を受信することに応じてスマートフォンの少なくとも一部の機能を制限した。これに限らず、スマートフォンにインストールされた制限アプリが、スマートフォンを第３の実施形態に係る警報出力装置２として動作させるためのプログラムであってもよい。このようにすることで、ユーザは、制限アプリをスマートフォンにインストールするだけでギャンブル施設へ行くことを抑制できる。そのため、ユーザは、より簡易にギャンブル施設へ行くことを抑制できる。
【０１２７】
また、以上の説明では、警報出力装置２がスマートフォンの機能を制限するための警報情報を出力する例を示したが、警報出力装置２は、ユーザの自宅の電子錠を開かなくするための警報情報を電子錠に対して送信してもよい。このようにすることで、警報出力装置２は、自宅に入れなくなることを防ぐためにギャンブル施設に行かないようにユーザに動機付けることができる。
【０１２８】
（変形例２）
以上の説明では、警報出力装置２が単体で動作する例を示したが、警報出力装置２は、スマートフォンに警報情報を転送するサーバと連動して動作してもよい。具体的には、まず、警報出力装置２は、警報情報を転送するサーバに警報情報を出力する。次に、サーバは、警報出力装置２から警報情報を受信すると、受信した警報情報をスマートフォンに出力する。また、サーバは、警報情報を出力した後に、スマートフォンにインストールされた制限アプリから警報情報を受信したことを示す情報を受信できない場合、警報情報を再度出力する。具体的には、サーバは、警報情報を出力した後に、制限アプリからスマートフォンが動作していることを示す動作情報を受信すると、警報情報を再度出力する。このようにすることで、サーバは、警報出力装置２の電池が切れて動作しない場合でも警報情報を出力するので、確実にスマートフォンの機能を制限することができる。
【０１２９】
（変形例３）
以上の説明では、制限アプリが警報情報を受信するとスマートフォンの機能を制限する例を示したが、制限アプリは、警報出力装置２と通信できない場合、スマートフォンの少なくとも一部の機能を制限してもよい。例えば、制限アプリは、警報出力装置２から警報出力装置２が動作していることを示す動作情報を受信できない場合、スマートフォンの少なくとも一部の機能を制限する。具体的には、まず、警報出力装置２は、一定時間おきに制限アプリに動作情報を送信する。制限アプリは、警報出力装置２から動作情報を受信してから、一定時間経過した後に、再度動作情報を受信できない場合、スマートフォンの少なくとも一部の機能を制限する。このようにすることで、制限アプリは、スマートフォンの電源が入っていない状態で警報出力装置２が動作しなくなった場合であっても、スマートフォンの電源が入ったときに、スマートフォンの機能を制限することができる。
【０１３０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１３１】
１  警報出力装置
２  警報出力装置
３  警報出力装置
４  クラクション
５  エンジン
１０  警報器
１１  マイク
１２  位置センサ
１３  通信部
１４  電池
１５  充電部
１６  電源ボタン
１７  記憶部
１８  制御部
３１  位置センサ
３２  表示部
３３  通信部
３７  記憶部
３８  制御部
１８０  音検出部
１８１  位置情報取得部
１８２  残量検出部
１８３  給電制御部
１８４  設定部
１８５  出力制御部
３８０  設定部
３８１  位置情報取得部
３８２  表示制御部
３８３  エンジン監視部
３８４  出力制御部
【図１】
2018147493.tif 000003
【図２】
2018147493.tif 000004
【図３】
2018147493.tif 000005
【図４】
2018147493.tif 000006
【図５】
2018147493.tif 000007
【図６】
2018147493.tif 000008
【図７】
2018147493.tif 000009
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
警報情報を出力する警報出力装置であって、
前記警報情報を出力する位置の範囲である警報範囲と、他の装置を識別するための装置識別情報とを記憶する記憶部と、
前記警報出力装置の位置を示す位置情報を取得する位置情報取得部と、
前記位置情報取得部が取得した前記位置情報が示す位置が前記警報範囲に含まれる状態になってから所定の遅延時間が経過した場合に、前記他の装置の動作を制限するために、前記装置識別情報を含む前記警報情報を出力する出力制御部と、
を有する警報出力装置。
【請求項２】
前記出力制御部は、前記警報情報を出力した後に、前記他の装置が動作していることを示す情報を前記他の装置から受信したことに応じて、前記警報情報を再度出力する、
請求項１に記載の警報出力装置。
【請求項３】
前記出力制御部は、前記位置情報取得部が取得した前記位置情報が示す位置が前記警報範囲に含まれる状態になってから前記遅延時間が経過した場合に、前記警報情報として警報音の出力を開始させる、
請求項１又は２に記載の警報出力装置。
【請求項４】
前記出力制御部は、前記位置情報が示す位置が前記警報範囲に含まれない状態になった場合に前記警報音の出力を停止させる、
請求項３に記載の警報出力装置。
【請求項５】
前記出力制御部は、前記位置情報が示す位置が前記警報範囲に含まれる状態で、前記警報出力装置が接続されている車両のエンジンが停止してから前記遅延時間が経過した場合に前記警報音の出力を開始させる、
請求項３又は４に記載の警報出力装置。
【請求項６】
前記警報出力装置を動作させるための電力を供給する電池と、
前記電池の残量を検出する残量検出部と、
をさらに有し、
前記出力制御部は、前記残量検出部が検出した前記残量が所定の閾値以下になった場合に前記警報情報を出力する、
請求項１から５のいずれか一項に記載の警報出力装置。
【請求項７】
前記電池を充電する充電部をさらに有し、
前記出力制御部は、前記位置情報が示す位置が前記警報範囲に含まれない状態で前記充電部が前記電池の充電を開始した場合に、前記他の装置の動作の制限を解除させるための解除情報を出力する、
請求項６に記載の警報出力装置。
【請求項８】
前記出力制御部は、前記残量検出部が検出した前記残量が所定の閾値以下になった場合に警報音を出力し、前記位置情報が示す位置が前記警報範囲に含まれない状態で前記充電部が前記電池の充電を開始したときに前記警報音の出力を停止させ、前記位置情報が示す位置が前記警報範囲に含まれる状態で前記充電部が前記電池の充電を開始したときに前記警報音の出力を継続する、
請求項７に記載の警報出力装置。